(57)【要約】【課題】生体の検知に消費されるエネルギーを抑えつつ、生体の移動を監視できるようにする。【解決手段】被監視者が歩くとスリッパ１０が有する圧電素子により発電が行われ、スリッパ１０が備える送信機は電波信号を出力する。この電波信号は通信装置２０で受信され、通信装置２０は、電波信号を受信すると、送信機からの信号を受け取ったことを示す信号を通信回線４０を介して監視装置３０へ送信する。この信号が監視装置３０で受信されると、監視装置３０は、信号を受信した回数を更新する。監視装置３０が受信回数を表示すると、表示される数値によって被監視者が部屋内を歩いて生活していることが分かり、被監視者の生存を監視できる。【選択図】図１
2010224595.tif 000002
【特許請求の範囲】
【請求項１】
外部から力が加えられると発電し、生体からの力が加えられる位置に配置される圧電素子と、
前記圧電素子から前記圧電素子の発電により得られた電気エネルギーが供給されると信号を送信する第１送信部と
を有する送信機と、
前記第１送信部から出力された信号を受信する第１受信部と、
前記第１受信部が信号を受信すると、信号を送信する第２送信部と
を有する通信装置と、
前記第２送信部から送信された信号を受信する第２受信部と、
前記第２送信部から送信される信号が前記第２受信部において予め定められた期間以上受信されない場合、前記生体に関する情報を表示する表示手段と
を有する
監視装置と
を備える監視システム。
【請求項２】
外部から力が加えられると発電し、生体からの力が加えられる位置に配置される圧電素子と、
前記圧電素子から前記圧電素子の発電により得られた電気エネルギーが供給されると信号を送信する第１送信部と
を有する送信機と、
前記第１送信部から出力された信号を受信する第１受信部と、
前記第１受信部が信号を受信すると、信号を送信する第２送信部と
を有する通信装置と、
前記第２送信部から送信された信号を受信する第２受信部と、
前記第２送信部から送信された信号を前記第２受信部が受信した時刻または日付に関する情報を記憶する記憶部と
を有する監視装置と、
を備える監視システム。
【請求項３】
前記送信機を複数有し、該複数の送信機は各々異なる位置に配置されることを特徴とする請求項１または請求項２に記載の監視システム。
【請求項４】
前記通信装置を複数有し、該複数の通信装置は各々異なる位置に配置されることを特徴とする請求項１乃至請求項３のいずれかに記載の監視システム。
【請求項５】
前記圧電素子は、前記生体と共に移動可能であることを特徴とする請求項１乃至請求項４のいずれかに記載の監視システム。
【請求項６】
外部から力が加えられると発電し、生体からの力が加えられる位置に配置される圧電素子が発電すると、該発電により得られた電気エネルギーを用いる送信機が信号を送信する第１送信ステップと、
前記第１送信ステップで送信された信号を受信する通信装置が、受信した信号を送信する第２送信ステップと、
前記第２送信ステップで送信される信号を受信する監視装置が、前記第２送信ステップで送信される信号を予め定められた期間以上受信しない場合、前記生体に関する情報を表示する表示ステップと
を有する監視方法。
【請求項７】
外部から力が加えられると発電し、生体からの力が加えられる位置に配置される圧電素子が発電すると、該発電により得られた電気エネルギーを用いる送信機が信号を送信する第１送信ステップと、
前記第１送信ステップで送信された信号を受信する通信装置が、受信した信号を送信する第２送信ステップと、
前記第２送信ステップで送信される信号を受信する監視装置が、前記第２送信ステップで送信された信号を受信した時刻または日付に関する情報を記憶部に記憶する記憶ステップと
を有する監視方法。
【発明の詳細な説明】
【技術分野】
【０００１】
本発明は、生体の移動を監視する技術に関する。
【背景技術】
【０００２】
人の移動を監視する発明として、例えば特許文献１に開示された発明がある。この特許文献１に開示された発明は、シート状のセンサーを有しており、このセンサーを人が踏むとセンサーから信号が出力される。そして、この信号が受信器で受信されると、受信器から報知音が出力される。このシートを病院で入院患者が使用するベッドの周囲に敷けば、安静にしていなければならない患者がベッドから移動しようとすると、センサーを踏んで報知音が出力されることとなり、患者の移動を監視できる。
【先行技術文献】
【特許文献】
【０００３】
【特許文献１】特開平１１−２１３２６６号公報
【発明の概要】
【発明が解決しようとする課題】
【０００４】
ところで、特許文献１に開示された発明においては、センサーは、上下に間隔を開けて配置された一対の電極を複数有しており、一方の電極に電流が流される。そして、一対の電極に荷重がかかると、荷重がかかった電極が対向する電極に接触して人を検知する。この構成においては、電極に常に電流を流しておかないと人を検知することができず、電力を消費することになる。
【０００５】
本発明は、上述した背景の下になされたものであり、その目的は、生体の検知に消費されるエネルギーを抑えつつ、生体の移動を監視できるようにすることにある。
【課題を解決するための手段】
【０００６】
本発明に係る監視システムは、外部から力が加えられると発電し、生体からの力が加えられる位置に配置される圧電素子と、前記圧電素子から前記圧電素子の発電により得られた電気エネルギーが供給されると信号を送信する第１送信部とを有する送信機と、前記第１送信部から出力された信号を受信する第１受信部と、前記第１受信部が信号を受信すると、信号を送信する第２送信部とを有する通信装置と、前記第２送信部から送信された信号を受信する第２受信部と、前記第２送信部から送信される信号が前記第２受信部において予め定められた期間以上受信されない場合、前記生体に関する情報を表示する表示手段とを有する監視装置とを備えることを特徴とする。
本発明によれば、生体によって圧電素子に力が加わると、圧電素子が発電して信号が送信されるので、生体の検知に消費されるエネルギーを抑えつつ、生体の移動を監視できる。
【０００７】
本発明に係る監視システムは、外部から力が加えられると発電し、生体からの力が加えられる位置に配置される圧電素子と、前記圧電素子から前記圧電素子の発電により得られた電気エネルギーが供給されると信号を送信する第１送信部とを有する送信機と、前記第１送信部から出力された信号を受信する第１受信部と、前記第１受信部が信号を受信すると、信号を送信する第２送信部とを有する通信装置と、前記第２送信部から送信された信号を受信する第２受信部と、前記第２送信部から送信された信号を前記第２受信部が受信した時刻または日付に関する情報を記憶する記憶部とを有する監視装置と、を備えることを特徴とする。
本発明によれば、生体によって圧電素子に力が加わると、圧電素子が発電して信号が送信されるので、生体の検知に消費されるエネルギーを抑えつつ、生体の移動を監視できる。
【０００８】
本発明において、前記監視システムは、前記送信機を複数有し、該複数の送信機は各々異なる位置に配置される構成であってもよい。この構成によれば、様々な位置で生体の移動を監視できる。
また、前記監視システムは、前記通信装置を複数有し、該複数の通信装置は各々異なる位置に配置される構成であってもよい。この構成によれば、様々な位置で生体の移動を監視できる。
また、前記監視システムにおいては、前記圧電素子は、前記生体と共に移動可能である構成であってもよい。
この構成によれば、生体が移動していないことも監視できる。
【０００９】
本発明に係る監視方法は、外部から力が加えられると発電し、生体からの力が加えられる位置に配置される圧電素子が発電すると、該発電により得られた電気エネルギーを用いる送信機が信号を送信する第１送信ステップと、前記第１送信ステップで送信された信号を受信する通信装置が、受信した信号を送信する第２送信ステップと、前記第２送信ステップで送信される信号を受信する監視装置が、前記第２送信ステップで送信される信号を予め定められた期間以上受信しない場合、前記生体に関する情報を表示する表示ステップとを有することを特徴とする。
本発明によれば、生体によって圧電素子に力が加わると、圧電素子が発電して信号が送信されるので、生体の検知に消費されるエネルギーを抑えつつ、生体の移動を監視できる。
【００１０】
本発明に係る監視方法は、外部から力が加えられると発電し、生体からの力が加えられる位置に配置される圧電素子が発電すると、該発電により得られた電気エネルギーを用いる送信機が信号を送信する第１送信ステップと、前記第１送信ステップで送信された信号を受信する通信装置が、受信した信号を送信する第２送信ステップと、前記第２送信ステップで送信される信号を受信する監視装置が、前記第２送信ステップで送信された信号を受信した時刻または日付に関する情報を記憶部に記憶する記憶ステップとを有することを特徴とする。
本発明によれば、生体によって圧電素子に力が加わると、圧電素子が発電して信号が送信されるので、生体の検知に消費されるエネルギーを抑えつつ、生体の移動を監視できる。
【図面の簡単な説明】
【００１１】
【図１】本発明の一実施形態に係るシステムの全体構成を示した図。
【図２】送信機１００のハードウェア構成を示したブロック図。
【図３】通信装置２０のハードウェア構成を示したブロック図。
【図４】監視装置３０のハードウェア構成を示したブロック図。
【図５】監視テーブルのフォーマットを例示した図。
【図６】実施形態の動作を説明するための図。
【図７】変形例に係る監視テーブルを示した図。
【発明を実施するための形態】
【００１２】
［実施形態］
図１は、本発明の一実施形態に係る監視システムの模式図である。図１に示したように、この監視システムは、スリッパ１０、通信装置２０、監視装置３０を有している。
スリッパ１０は、人間が室内で履くスリッパである。スリッパ１０は、力がかかると発電を行う圧電素子と、圧電素子で得られた電気エネルギーによって電波を用いた信号を出力する送信機とを有している。
通信装置２０は、スリッパ１０から出力される信号を受信する装置であり、受信した信号を通信回線４０を介して監視装置３０へ送信する。
監視装置３０は、スリッパ１０を履いている人間を監視する装置である。監視装置３０は、通信回線４０に接続されており、通信装置２０から出力された信号を受信し、スリッパ１０を履いている人間を監視する。
【００１３】
（スリッパ１０の構成）
図２は、スリッパ１０が備える送信機１００のブロック図である。
送信機１００は、予め定められた周波数の電波の信号を出力する装置である。送信機１００は、圧電素子１０１を備えており、圧電素子１０１から電力が供給されると、予め定められた期間の間、図示せぬアンテナを備えた送信部１０２から信号を出力する。
圧電素子１０１は、力が加えられると発電する素子であり、スリッパ１０において人が踵を載せる部分に位置している。圧電素子１０１は、人がスリッパ１０を履いて歩くと、踵からの力がかかって発電し、発電により得た電気エネルギーで送信部１０２を駆動する。
送信部１０２は、電波を用いて信号を出力するものであり、予め定められた期間の間、電波を用いた信号（以下、電波信号と称する）を出力する。
なお、本実施形態においては、送信機１００は、一足のスリッパの片方にのみ配置されているが、片方だけでなく両方に配置されていてもよい。
【００１４】
（通信装置２０の構成）
図３は、通信装置２０のハードウェア構成を示したブロック図である。通信装置２０は、制御部２０１、無線通信部２０２および有線通信部２０３を有しており、制御部２０１に無線通信部２０２と有線通信部２０３が接続されている。
無線通信部２０２は、図示せぬアンテナを備えており、送信機１００から出力された電波信号を受信する。つまり、送信機１００からの信号を受信する受信部として機能する。無線通信部２０２は、送信機１００からの電波信号を受信すると、受信した信号を電気信号に変換して制御部２０１へ出力する。
制御部２０１は、ＣＰＵ（Central Processing Unit）２０１Ａ、ＲＯＭ（Read Only Memory）２０１Ｂ，ＲＡＭ（Random Access Memory）２０１Ｃなどを備えた所謂マイクロコンピューターである。制御部２０１は、ＲＯＭ２０１Ｂに記憶されているプログラムにしたがって動作し、無線通信部２０２から出力された信号を受け取ると、受け取った信号を有線通信部２０３へ出力する。
有線通信部２０３は、通信回線４０に接続されており、通信回線４０を介して監視装置３０と通信を行う通信インターフェースとして機能する。有線通信部２０３は、制御部２０１から出力された信号を受け取ると、受け取った信号を通信回線４０を介して監視装置３０へ送信する。
【００１５】
（監視装置３０の構成）
図４は、監視装置３０のハードウェア構成を示したブロック図である。監視装置３０は、制御部３０１、記憶部３０５、通信部３０６、操作部３０７、表示部３０８を有しており、制御部３０１に記憶部３０５、通信部３０６、操作部３０７および表示部３０８が接続されている。
【００１６】
通信部３０６は、通信回線４０を介して通信を行うインターフェースとして機能し、制御部３０１の制御の下、通信装置２０から送信された信号を受信する。操作部３０７は、監視装置３０を操作するためのキーボード（図示略）やマウス（図示略）を有している。表示部３０８は液晶ディスプレイを具備しており、制御部３０１の制御の下、文字やグラフィック画像、監視装置３０を操作するためのメニュー画面などの各種画像を表示する。
【００１７】
記憶部３０５は、ハードディスク装置を有しており、監視装置３０にオペレーティングシステムの機能を実現するＯＳプログラム、スリッパ１０を履く人間を監視する機能を実現するアプリケーションプログラム（以下、プログラムＡＰと略称する）を記憶している。また、記憶部３０５は、監視装置３０が使用する各種データを記憶する。
図５は、記憶部３０５が記憶するデータの一例である監視テーブルのフォーマットを示した図である。監視テーブルは、日毎に生成されるテーブルであり、時間帯フィールドと受信回数フィールドを有している。監視テーブルは、生成された時点においては、受信回数フィールドの全てのセルには「０」が格納される。
時間帯フィールドには時間帯を示すデータが格納される。また、受信回数フィールドには、監視装置３０が通信装置２０から送信された信号を受信した回数が格納される。
例えば、図５において日付が「２００９年１月１日」である監視テーブルは、時間帯が「１２：００−１３：００」の行に回数として「２４回」が格納されているため、２００９年１月１日の１２：００−１３：００時間帯において、通信装置２０からの信号を２４回受信したことを示している。
【００１８】
制御部３０１は、ＣＰＵ３０２、ＩＰＬ（Initial Program Loader）を記憶したＲＯＭ３０３、ＲＡＭ３０４を有している。制御部３０１においては、図示せぬ電源から電気エネルギーが供給されるとＲＯＭ３０３に記憶されているＩＰＬがＣＰＵ３０２により実行される。ＣＰＵ３０２がＩＰＬを実行すると、記憶部３０５に記憶されているＯＳプログラムがＣＰＵ３０２により実行され、操作部３０７からの入力の受け付けや表示部３０８への画面出力といった入出力機能や記憶部３０５の制御など、コンピューター装置としての基本的な機能が実現し、プログラムＡＰを実行することが可能となる。そして、監視装置３０がプログラムＡＰを実行すると、通信装置２０から送信される信号を受け取る機能や、時刻や日付を計時する機能が実現する。また、制御部３０１においては、監視テーブルの内容に応じて表示部３０８に表示を行わせる機能などが実現し、制御部３０１と表示部３０８は、情報を表示する表示手段として機能する。
【００１９】
（実施形態の動作）
次に、実施形態の動作について説明する。なお、以下の説明においては、一人暮らしの人（以下、被監視者と称する）を監視する場合を想定し、被監視者が暮らす部屋に通信装置２０が配置され、被監視者が部屋内でスリッパ１０を履いて暮らす場合を例に動作の説明を行う。
【００２０】
まず、被監視者が送信機１００を備えたスリッパ１０を右足に履き、送信機１００を備えていないスリッパを左足に履く。そして、被監視者が通信装置２０の配置された部屋内で右足を踏み出すと、被監視者の体重によってスリッパ１０内部の圧電素子１０１に力が掛かる。すると、圧電素子１０１が発電し（図６：ステップＳ１０１）、発電により得られた電力で送信部１０２が駆動される。圧電素子１０１からの電力で駆動された送信部１０２は、予め定められた期間の間、予め定められた周波数の電波信号を図示せぬアンテナから送信する（ステップＳ１０２）。
【００２１】
この電波信号が通信装置２０の無線通信部２０２にて受信されると、制御部２０１は、有線通信部２０３を制御し、受け取った信号を通信回線４０を介して監視装置３０へ送信する（ステップＳ１０３）。そして、この信号が監視装置３０の通信部３０６で受信されると、制御部３０１は、計時している年月日と時刻に基づいて、監視テーブルに格納されているデータを更新する（ステップＳ１０４）。
例えば、ここで、年月日が「２００９年１月１日」であり時刻が「１２時５分」である場合、図５の「２００９年１月１日」という年月日に対応した管理テーブルの受信回数フィールドにおいて、「１２：００−１３：００」という時間帯の行の値に「１」が加えられる。
【００２２】
次に、被監視者が左足を踏み出して右足を浮かせると、圧電素子１０１においては力が掛からないので発電が行われず、送信部１０２からは電波信号が出力されない。
そして、被監視者が再び右足を踏み出すと、被監視者の体重によってスリッパ１０内部の圧電素子１０１に力が掛かり、発電が行われて（ステップＳ１０５）送信部１０２から電波信号が出力される（ステップＳ１０６）。すると、上述した動作と同様にして、電波信号を受信した通信装置２０が信号を監視装置３０へ送信し（ステップＳ１０７）、監視装置３０は、監視テーブルの受信回数フィールドの値を増加させる（ステップＳ１０８）。
【００２３】
また、被監視者がスリッパ１０を脱いで就寝すると、被監視者が就寝している時間帯においては圧電素子１０１に力が掛からないため、スリッパ１０から電波信号が送信されない。また、監視装置３０においては、通信装置２０からの信号が送信されてこないため、監視テーブルの受信回数フィールドの値は更新されず「０」のままとなる。
具体的には、例えば、２００９年１月１日の「２１：５０」から被監視者が就寝していた場合、図５に示したように２００９年１月１日の管理テーブルの、「２２：００−２３：００」と「２３：００−２４：００」の行においては、受信回数フィールドの値が「０」となる。
【００２４】
このように、被監視者が部屋内を歩くと、監視テーブルの受信回数フィールドの値が増加していき、スリッパ１０を履いて部屋内を歩かない場合には、監視テーブルの受信回数フィールドの値が増加せず「０」のままとなる。
本実施形態において、監視テーブルの内容を見れば、受信回数フィールド内の数値によって被監視者が部屋内を歩いて生活していることが分かり、被監視者の生存を監視できる。
また、被監視者が歩くだけで被監視者の監視ができるので、被監視者に対して監視されているという負担を与えずに被監視者を監視することができる。
また、被監視者を監視する際には、部屋には送信機１００と通信装置２０を配置するだけで良いので、容易にこれらの装置の設置を行って被監視者の監視を始めることができる。
【００２５】
［変形例］
以上、本発明の実施形態について説明したが、本発明は上述した実施形態に限定されることなく、他の様々な形態で実施可能である。例えば、上述の実施形態を以下のように変形して本発明を実施してもよく、各変形例を組み合わせて実施してもよい。
【００２６】
上述した実施形態においては、送信機１００は、スリッパ１０に設けられているが、送信機１００が設けられるのはスリッパ１０に限定されるものではない。スリッパ１０に替えて部屋内で履くことのできる靴でもよく、また、例えば、被監視者が生活する中で被監視者によって力が加えられる物に送信機１００を配置してもよい。
例えば、ドア枠に送信機１００を配置し、閉められたドアで送信機１００の圧電素子１０１に圧力が加わるようにすれば、圧電素子１０１が発電して送信機１００から電波信号が送信され、上述した実施形態と同様に受信回数フィールドの値が更新される。この構成によれば、被監視者がドアの開閉を行って生活をしていることが分かり、被監視者の生存を監視できる。
また、被監視者が座る椅子の脚の下面に圧電素子１０１を配置してもよく、椅子の座面に圧電素子１０１を配置してもよい。この構成によれば、被監視者が椅子を使って生活をしていることが分かり、被監視者の生存を監視できる。
また、階段、ベッド、壁に配置された照明のスイッチ、家具、玄関に敷かれるマットや台所に敷かれるマットなど、被監視者が生活するうえで力が高い頻度で加えられる物に圧電素子１０１を配置してもよい。
なお、圧電素子１０１を送信部１０２から離れた位置に配置できるように圧電素子１０１と送信部１０２とをケーブルで接続し、圧電素子１０１のみを力が加わる部分に配置してもよい。この場合、圧電素子１０１は、薄いシート状であってもよい。
【００２７】
上述した実施形態において制御部３０１は、受信回数フィールドの値を監視し、全ての時間帯において受信回数フィールドの値が「０」となっている日付の監視テーブルがある場合、被監視者の氏名と、被監視者に異常があったことを被監視者に関する情報として表示部３０８に表示して報知するようにしてもよい。
また、制御部３０１は、通信部３０６が一定期間の間、通信装置２０からの信号を受信しなかった場合、被監視者に異常があったと判断し、表示部３０８に、被監視者に異常があったことを示すメッセージを表示して報知するようにしてもよい。
また、これらの報知を行う際には、表示に替えて音声で報知を行ってもよく、表示と音声の両方で報知を行ってもよい。
また、被監視者に関係のある者の電子メールアドレスを記憶部３０５に記憶し、制御部３０１は、被監視者に異常があったと判断した場合、この記憶した電子メールアドレスを宛先とし、被監視者に異常があったことを知らせる内容の電子メールを送信してもよい。
【００２８】
上述した実施形態では、一足のスリッパの片方のみが送信機１００を備えているが、一足のスリッパの両方に送信機１００を備えている場合、足を踏み出す毎に電波信号が出力されるため、受信回数フィールドの値は歩数としてカウントすることができる。
このため、制御部３０１は、一の管理テーブル毎に受信回数フィールドの値を全て加算し、一日に部屋内を歩いた歩数として加算結果を表示部３０８に表示すれば、監視装置３０は歩数計としても機能する。
【００２９】
上記変形例では、スリッパ１０以外に送信機１００を配置してもよいことを述べたが、例えば、スリッパ１０とドア枠というように、複数の位置に送信機１００を配置してもよい。
また、複数の位置に送信機１００を配置する場合、送信機１００毎に送信機１００を一意に識別する識別子を記憶させ、電波信号を送信する際には記憶している識別子を示す信号を送信機１００が送信し、この信号を受信した通信装置２０は、受信した信号を監視装置３０へ転送してもよい。
この場合、監視装置３０は、識別子毎に監視テーブルを生成し、識別子を示す信号を受信すると、受信した識別子に対応した監視テーブルの受信回数フィールドを更新するようにしてもよい。
【００３０】
具体的には、例えば、スリッパ１０の送信機１００の識別子を「００１」、部屋外へ出るためのドアのドア枠の送信機１００の識別子を「００２」とした場合、監視装置３０においては、図７に示したように、識別子「００１」に対応した監視テーブルＴＢ１と、識別子「００２」に対応した監視テーブルＴＢ２が生成される。
そして、監視装置３０が、識別子「００１」を示す信号を「２００９年１月１日」の「１２時５分」に受信した場合、制御部３０１は、監視テーブルＴＢ１の受信回数フィールドにおいて「１２：００−１３：００」という時間帯の行の値を更新する。また、被監視者が「２００９年１月１日」の「１２時５７分」に部屋外へ外出し、ドアが閉められてドア枠の送信機１００の圧電素子１０１に力がかかると、監視装置３０が識別子「００２」を示す信号を受信し、制御部３０１は、監視テーブルＴＢ２の受信回数フィールドにおいて「１２：００−１３：００」という時間帯の行の値を更新する。
この構成によれば、歩くという行動だけでなく被監視者が行う様々な行動を監視することが可能であり、例えば、スリッパ１０について監視テーブルＴＢ１の受信回数フィールドの値が更新されているものの、部屋外へ出るためのドアについて監視テーブルＴＢ２の受信回数フィールドの値が更新されていない場合、被監視者は部屋の外へ外出していないことが分かる。
【００３１】
上述した変形例では、一つの部屋で識別子の異なる複数の送信機１００を配置した場合を説明したが、複数のスリッパ１０について、送信機１００の識別子を各々異ならせ、各スリッパ１０を各々異なる部屋に置き、複数の部屋毎に通信回線４０に接続された通信装置２０を配置してもよい。
例えば、第１の被監視者が生活する第１部屋において識別子が「００１」の送信機１００を有するスリッパ１０を被監視者が履き、第１の被監視者とは異なる第２の被監視者が生活する第２の部屋において識別子が「００２」の送信機１００を有するスリッパ１０を被監視者が履く場合、第１の被監視者が第１部屋で歩くと識別子が「００１」の監視テーブルＴＢ１の受信回数フィールドが更新され、第１の被監視者が生存していることを確認できる。また、第２の被監視者が第２部屋で歩くと識別子が「００２」の監視テーブルＴＢ２の受信回数フィールドが更新され、第２の被監視者が生存していることを確認できる。つまり、この構成によれば、一台の監視装置３０で複数の被監視者を監視することができる。
【００３２】
なお、上記変形例では、送信機１００が送信機を一意に識別する識別子を記憶しているが、識別子を送信機１００が記憶するのではなく、部屋毎に配置される通信装置２０毎に、通信装置２０を一意に識別する識別子を記憶させてもよい。
そして、送信機１００からの電波信号を通信装置２０が受信すると、通信装置２０は、記憶している識別子を示す信号を通信回線４０を介して監視装置３０に送信してもよい。
例えば、第１の被監視者が生活する第１部屋において識別子が「００１」の通信装置２０が配置され、第１の被監視者とは異なる第２の被監視者が生活する第２の部屋において識別子が「００２」の通信装置２０が配置されている場合、第１の被監視者が第１部屋で歩くと識別子が「００１」の監視テーブルＴＢ１の受信回数フィールドが更新され、第１の被監視者が生存していることを確認できる。また、第２の被監視者が第２部屋で歩くと識別子が「００２」の監視テーブルＴＢ２の受信回数フィールドが更新され、第２の被監視者が生存していることを確認できる。つまり、この構成でも、一台の監視装置３０で複数の被監視者を監視することができる。
【００３３】
また、この構成の場合、一人の被監視者が第１部屋と第２部屋を使用してもよい。この場合、第１部屋で被監視者が歩くと、識別子が「００１」の監視テーブルＴＢ１の受信回数フィールドが更新され、第２部屋で被監視者が歩くと、識別子が「００２」の監視テーブルＴＢ２の受信回数フィールドが更新されるので、被監視者が、どの時間帯にいずれの部屋で生活しているのかを監視することができる。
【００３４】
上述した実施形態では、通信装置２０が送信機１００から出力された電波信号を受信しているが、送信機１００から送信された電波信号を受信するのは、通信装置２０に限定されるものではない。
例えば、電池で駆動されて携帯が容易な大きさ及び重量であり、送信機１００からの電波信号を受信する通信機を被監視者が携帯し、この通信機で電波信号を受信してもよい。
また、この通信機は、送信機１００からの電波信号を受信すると、送信機１００からの信号を受け取ったことを示す電波信号を出力し、この電波信号を通信装置２０が受信し、通信装置２０が、送信機１００からの信号を受け取ったことを示す信号を監視装置３０へ送信する構成としてもよい。
この構成においては、被監視者が携帯する通信機で送信機１００からの電波信号を受信した回数をカウントして表示すれば、通信機は歩数計としても機能する。
【００３５】
また、この構成において通信機は、電波信号を受信する毎に通信装置２０へ信号を送るのではなく、電波信号を受信した回数をカウントし、カウントした回数を予め定められた周期で通信装置２０を介して監視装置３０へ送り、監視装置３０は、送られた回数を記憶するようにしてもよい。
この構成によれば、圧電素子１０１に力が加わる毎に監視装置３０が信号を受信する構成と比較して、信号を受信する回数が減るため、通信回線４０におけるトラヒックを抑えることができる。
【００３６】
上述した例では、人を監視対象としているが、監視対象は人に限定されるものではない。人以外の動物や昆虫など生体が飼育される部屋に圧電素子１０１を配置し、生体を監視対象としてもよい。例えば、動物の餌場の周囲に圧電素子１０１を配置すれば、動物が餌を食べに来たときに送信機１００から信号が出力され、監視装置３０で監視テーブルの受信回数フィールドが更新される。監視テーブルの受信回数フィールドが「０」でなければ、動物や昆虫が生存していることを確認できる。
【００３７】
上述した実施形態では、通信装置２０は、通信回線４０を介して監視装置３０へ信号を送っているが、通信装置２０は、電波を用いた通信により信号を監視装置３０へ送ってもよい。
また、送信機１００は、通信ケーブルで通信装置２０と接続され、通信ケーブルで通信装置２０と接続された送信機１００は、電波ではなく通信ケーブルを介して電気信号を通信装置２０へ送信するようにしてもよい。
また、上述した実施形態では、監視テーブルの時間帯は一時間毎となっているが、時間帯は一時間毎に限定されるものではなく、２時間や３時間など他の時間帯であってもよい。また、時間帯を設けず、一日の中で通信装置２０からの信号を受信した回数を記憶してもよい。
また、監視装置３０は、通信装置２０からの信号を受信した日時および時刻を記憶部３０５に記憶するようにしてもよい。
【符号の説明】
【００３８】
１０・・・スリッパ、２０・・・通信装置、３０・・・監視装置、４０・・・通信回線、１００・・・送信機、１０１・・・圧電素子、２０１・・・制御部、２０２・・・無線通信部、２０３・・・有線通信部、３０１・・・制御部、３０２・・・ＣＰＵ、３０３・・・ＲＯＭ、３０４・・・ＲＡＭ、３０５・・・記憶部、３０６・・・通信部、３０７・・・操作部、３０８・・・表示部
【図１】
2010224595.tif 000003
【図２】
2010224595.tif 000004
【図３】
2010224595.tif 000005
【図４】
2010224595.tif 000006
【図５】
2010224595.tif 000007
【図６】
2010224595.tif 000008
【図７】
2010224595.tif 000009